(57)【要約】【課題】申込書等に印刷されるドットパターンのうち、一部を一意なドットパターンとすることにより、容易に各種申込書を識別することができる識別処理システムを提供する。【解決手段】識別処理システムにおいて、シール台紙５０を構成するシールは、申込書４のシール添付領域に添付される。また、識別処理サーバ３は、シールが有するドットパターンに基づく位置データに対応付けて、前記シールのエリアをエリア情報として予め記憶する。利用者は、まず、電子ペン１０を使用して申込書４の記入欄へ所定の記入を行い、シール添付領域に添付されたシールをチェックする。端末装置２５は、電子ペン１０から利用者が記入した記入データ及びチェックした位置データを受信し、識別処理サーバ３へ送信する。識別処理サーバ３は、当該位置データ及びエリア情報に基づいて申込書４に添付されたシールのエリアを特定する。さらに、識別処理サーバ３は、特定したシールのエリアに関連付けて識別情報を作成する。そして、識別処理サーバ３は、作成した識別情報に基づいて記入データを記憶する。【選択図】      図７
2004234468.tif 000002
【特許請求の範囲】
【請求項１】
インクペンユニット及び光学的にドットパターンを読み取る読み取りユニットを備える電子ペンが認識可能なドットパターンを有する複数のシールから構成されるシール台紙であって、
前記シールが有する前記ドットパターンは全て異なる識別情報に関連付けされていることを特徴とするシール台紙。
【請求項２】
インクペンユニット及び光学的にドットパターンを読み取る読み取りユニットを備える電子ペンが認識可能なドットパターンを有する複数のシールから構成され、前記シールが有する前記ドットパターンはそれぞれ異なる識別情報に関連付けされているシール台紙と、
前記ドットパターンを有し、前記電子ペンにより記入される複数の記入欄及び前記シールを添付するためのシール添付領域を有する帳票により構成される帳票セット。
【請求項３】
前記シール添付領域は、前記帳票において任意に設定することができることを特徴とする請求項２に記載の帳票セット。
【請求項４】
インクペンユニット及び光学的にドットパターンを読み取る読み取りユニットを備える電子ペンと、
電子ペンが認識可能なドットパターンを有する複数のシールから構成され、前記シールが有する前記ドットパターンは異なる識別情報に関連付けされているシール台紙と、
前記ドットパターンを有し、前記電子ペンにより記入される複数の記入欄及び前記シールを添付するためのシール添付領域を有する帳票と、
前記電子ペンを使用して前記シールが前記シール添付領域に添付された前記帳票への記入を行う利用者が使用する端末装置と、
ネットワークを介して前記端末装置と通信可能な識別処理サーバから構成される識別処理システムであって、
前記端末装置は、
前記利用者が前記電子ペンを使用して前記記入欄に記入した記入データ及び前記利用者が前記電子ペンを使用して前記帳票に添付された前記シールをチェックした位置データを情報として受信する情報受信手段と、
受信した前記情報を前記識別処理サーバへ送信する情報送信手段と、を備え、
前記識別処理サーバは、
前記ドットパターンに基づく位置データに対応付けて、前記シールが有する前記ドットパターンのエリアをエリア情報として記憶するエリア情報記憶手段と、
前記端末装置から前記情報を新規情報として受信する新規情報受信手段と、
前記新規情報に含まれる前記位置データ及び前記エリア情報に基づいて、前記帳票に添付されたシールが有する前記エリアを特定する新規エリア特定手段と、
前記新規エリア特定手段が特定した前記エリアに関連付けた識別情報を作成する識別情報作成手段と、
作成した前記識別情報に基づいて前記記入データを記入情報として記憶する記入情報記憶手段と、を備える識別処理システム。
【請求項５】
インクペンユニット及び光学的にドットパターンを読み取る読み取りユニットを備える電子ペンと、
電子ペンが認識可能なドットパターンを有する複数のシールから構成され、前記シールが有する前記ドットパターンは異なる識別情報に関連付けされているシール台紙と、
前記ドットパターンを有し、前記電子ペンにより記入される複数の記入欄及び前記シールを添付するためのシール添付領域を有する帳票と、
前記電子ペンと通信可能な識別処理装置から構成される識別処理システムであって、
前記識別処理装置は、
前記ドットパターンに基づく位置データに対応付けて、前記シールが有する前記ドットパターンのエリアをエリア情報として記憶するエリア情報記憶手段と、
前記利用者が前記電子ペンを使用して前記記入欄に記入した記入データ及び前記利用者が前記電子ペンを使用して前記帳票に添付された前記シールをチェックした位置データを新規情報として受信する新規情報受信手段と、
前記新規情報に含まれる前記位置データ及び前記エリア情報に基づいて、前記帳票に添付されたシールが有する前記エリアを特定する新規エリア特定手段と、
前記新規エリア特定手段が特定した前記エリアに関連付けた識別情報を作成する識別情報作成手段と、
作成した前記識別情報に基づいて前記記入データを記入情報として記憶する記入情報記憶手段と、を備える識別処理システム。
【請求項６】
インクペンユニット及び光学的にドットパターンを読み取る読み取りユニットを備える電子ペンを使用して、シールが添付された帳票への記入を行う利用者が使用する端末装置とネットワークを介して通信可能な識別処理サーバにおいて、前記シール及び前記帳票は前記ドットパターンを有しており、
前記ドットパターンに基づく位置データに対応付けて、前記シールが有する前記ドットパターンのエリアをエリア情報として記憶するエリア情報記憶手段と、
前記端末装置から、前記利用者が前記電子ペンを使用して前記帳票に記入した記入データ、及び、前記利用者が前記電子ペンを使用して前記シールにチェックした位置データを新規情報として受信する新規情報受信手段と、
前記新規情報に含まれる前記位置データ及び前記エリア情報に基づいて、前記帳票に添付されたシールが有する前記エリアを特定する新規エリア特定手段と、
前記新規エリア特定手段が特定した前記エリアに関連付けて識別情報を作成する識別情報作成手段と、
作成した前記識別情報に基づいて前記記入データを記憶する記入データ記憶手段と、を備えることを特徴とする識別処理サーバ。
【請求項７】
前記端末装置から、前記利用者が前記電子ペンを使用して既に記入済の前記帳票に追記した追記データ、及び、前記利用者が前記電子ペンを使用して前記帳票に添付された前記シールにチェックした位置データを追記情報として受信する追記情報受信手段と、
前記追記情報に含まれる前記位置データ及び前記エリア情報に基づいて、追記した前記帳票に添付されたシールが有する前記エリアを特定する追記エリア特定手段と、
前記追記エリア特定手段が特定した前記エリアに基づいて前記識別情報を取得する識別情報取得手段と、
前記識別情報及び前記追記データに基づいて、前記記入データ記憶手段が記憶した前記記入データを更新する更新手段と、をさらに備えることを特徴とする請求項６に記載の識別処理サーバ。
【請求項８】
複数の前記シールから構成される上位エリアを設定し、前記識別処理サーバは、
前記ドットパターンに基づく位置データに対応付けて、前記上位エリアを上位エリア情報として記憶する上位エリア情報記憶手段をさらに備え、
前記新規エリア特定手段は、前記位置データ、前記エリア情報及び前記上位エリア情報に基づいて前記新規エリアを特定し、
前記追記エリア特定手段は、前記位置データ、前記エリア情報及び前記上位エリア情報に基づいて前記追記エリアを特定することを特徴とする請求項７に記載の識別処理サーバ。
【請求項９】
１つの前記シールが有する前記ドットパターンのエリアは複数の分割エリアによって構成されており、前記識別処理サーバは、
前記利用者が前記電子ペンを使用して前記シールにチェックした位置データに基づいて、前記シールを構成する前記分割エリア及び／又は前記分割エリアの組合せのいずれかを特定する分割エリア特定手段をさらに備え、
前記識別情報作成手段は、前記分割エリア特定手段が特定した前記分割エリア及び／又は前記分割エリアの組合せに関連付けて識別情報を作成することを特徴とする請求項６乃至８のいずれか一項に記載の識別処理サーバ。
【請求項１０】
インクペンユニット及び光学的にドットパターンを読み取る読み取りユニットを備える電子ペンと通信可能な識別処理装置において、利用者は前記電子ペンを使用してシールが添付された帳票への記入を行い、前記シール及び帳票は前記ドットパターンを有しており、前記識別処理装置は、
前記ドットパターンに基づく位置データに対応付けて、前記シールが有する前記ドットパターンのエリアをエリア情報として記憶するエリア情報記憶手段と、
前記電子ペンから、前記利用者が前記電子ペンを使用して前記帳票に記入した記入データ、及び、前記利用者が前記電子ペンを使用して前記シールにチェックした位置データを新規情報として受信する新規情報受信手段と、
前記新規情報に含まれる前記位置データ及び前記エリア情報に基づいて、前記帳票に添付されたシールが有する前記エリアを特定する新規エリア特定手段と、
前記新規エリア特定手段が特定した前記エリアに関連付けて識別情報を作成する識別情報作成手段と、
作成した前記識別情報に基づいて前記記入データを記憶する記入データ記憶手段と、を備えることを特徴とする識別処理装置。
【請求項１１】
インクペンユニット及び光学的にドットパターンを読み取る読み取りユニットを備える電子ペンを使用して、シールが添付された帳票への記入を行う利用者が使用する端末装置とネットワークを介して通信可能なコンピュータにより実行されるプログラムであって、前記シール及び前記帳票は前記ドットパターンを有しており、
前記ドットパターンに基づく位置データに対応付けて、前記シールが有する前記ドットパターンのエリアをエリア情報として記憶するエリア情報記憶手段、
前記端末装置から、前記利用者が前記電子ペンを使用して前記帳票に記入した記入データ、及び、前記利用者が前記電子ペンを使用して前記シールにチェックした位置データを新規情報として受信する新規情報受信手段、
前記新規情報に含まれる前記位置データ及び前記エリア情報に基づいて、前記帳票に添付されたシールが有する前記エリアを特定する新規エリア特定手段、
前記新規エリア特定手段が特定した前記エリアに関連付けて識別情報を作成する識別情報作成手段、
作成した前記識別情報に基づいて前記記入データを記憶する記入データ記憶手段、として前記コンピュータを機能させることを特徴とするプログラム。
【請求項１２】
前記端末装置から、前記利用者が前記電子ペンを使用して既に記入済の前記帳票に追記した追記データ、及び、前記利用者が前記電子ペンを使用して前記帳票に添付された前記シールにチェックした位置データを追記情報として受信する追記情報受信手段、
前記追記情報に含まれる前記位置データ及び前記エリア情報に基づいて、追記した前記帳票に添付されたシールが有する前記エリアを特定する追記エリア特定手段、
前記追記エリア特定手段が特定した前記エリアに基づいて前記識別情報を取得する識別情報取得手段、
前記識別情報及び前記追記データに基づいて、前記記入データ記憶手段が記憶した前記記入データを更新する更新手段、としてさらに前記コンピュータを機能させることを特徴とする請求項１１に記載のプログラム。
【請求項１３】
複数の前記シールから構成される上位エリアを設定し、前記プログラムは、
前記ドットパターンに基づく位置データに対応付けて、前記上位エリアを上位エリア情報として記憶する上位エリア情報記憶手段としてさらに前記コンピュータを機能させ、
前記新規エリア特定手段は、前記位置データ、前記エリア情報及び前記上位エリア情報に基づいて前記新規エリアを特定し、
前記追記エリア特定手段は、前記位置データ、前記エリア情報及び前記上位エリア情報に基づいて前記追記エリアを特定することを特徴とする請求項１２に記載のプログラム。
【請求項１４】
１つの前記シールが有する前記ドットパターンのエリアは複数の分割エリアによって構成されており、前記プログラムは、
前記利用者が前記電子ペンを使用して前記シールにチェックした位置データに基づいて、前記シールを構成する前記分割エリア及び／又は前記分割エリアの組合せのいずれかを特定する分割エリア特定手段としてさらに前記コンピュータを機能させ、
前記識別情報作成手段は、前記分割エリア特定手段が特定した前記分割エリア及び／又は前記分割エリアの組合せに関連付けて識別情報を作成することを特徴とする請求項１１乃至１３のいずれか一項に記載のプログラム。
【請求項１５】
インクペンユニット及び光学的にドットパターンを読み取る読み取りユニットを備える電子ペンと通信可能なコンピュータにより実行されるプログラムにおいて、利用者は前記電子ペンを使用してシールが添付された帳票への記入を行い、前記シール及び帳票は前記ドットパターンを有しており、前記プログラムは、
前記ドットパターンに基づく位置データに対応付けて、前記シールが有する前記ドットパターンのエリアをエリア情報として記憶するエリア情報記憶手段、
前記電子ペンから、前記利用者が前記電子ペンを使用して前記帳票に記入した記入データ、及び、前記利用者が前記電子ペンを使用して前記シールにチェックした位置データを新規情報として受信する新規情報受信手段、
前記新規情報に含まれる前記位置データ及び前記エリア情報に基づいて、前記帳票に添付されたシールが有する前記エリアを特定する新規エリア特定手段、
前記新規エリア特定手段が特定した前記エリアに関連付けて識別情報を作成する識別情報作成手段、
作成した前記識別情報に基づいて前記記入データを記憶する記入データ記憶手段、として前記コンピュータを機能させることを特徴とするプログラム。
【発明の詳細な説明】
【０００１】
【発明の属する技術分野】
本発明は、電子ペンを利用して記入を行う帳票を個別に識別するための技術に関する。
【０００２】
【従来の技術】
従来、官公庁、金融機関あるいは民間会社その他に提出する申請書などの各種書類（以下、「各種申請書類」と呼ぶ。）には利用者がボールペンなどを利用して必要事項を記入し、記入済みの書類を提出していた。一方、近年では、従来からの紙の帳票の代わりに、帳票を電子化した電子フォームが利用されてきている。電子フォームは、紙の帳票の記入項目などを複数のフィールドとして含む電子データである。帳票を作成する利用者は、パーソナルコンピュータなどに電子フォームを読み込んで表示装置上に表示し、キーボードやマウスなどの入力装置を操作して電子フォームに必要事項を入力する。入力された事項は電子データとして取得され、ネットワークなどを通じて当該帳票の提出先機関などに送信することができる。
【０００３】
しかし、官公庁、金融機関あるいは民間会社などに提出する各種申請書類を作成する場合、パーソナルコンピュータの操作方法に関する知識を十分に有しない利用者や、キーボード入力をあまり得意としない利用者などにとっては、上述の電子フォームを上手に利用することは難しいことが多い。そのような利用者にとっては、むしろ従来から行われているように、紙の帳票に対してペン入力する方法が最も容易である。
【０００４】
このような場合に有効な入力デバイスとして、近年、「電子ペン」、「デジタルペン」などと呼ばれるペン型入力デバイスが登場しており（以下、本明細書では「電子ペン」と呼ぶ。）、その代表的なものとしてスウェーデンのＡｎｏｔｏ社が開発した「アノトペン（Ａｎｏｔｏ  ｐｅｎ）」が知られている。アノトペンは、所定のドットパターンが印刷された専用紙（以下、「専用ペーパー」と呼ぶ。）とペアで使用される。アノトペンは、通常のインクタイプのペン先部に加えて、専用紙上のドットパターンを読み取るための小型カメラと、データ通信ユニットを搭載している。利用者が専用紙上にアノトペンで文字などを書いたり、専用紙上に図案化されている画像をチェックしたりすると、ペンの移動に伴って小型カメラが専用紙上のドットパターンを検出し、利用者が書き込んだ文字、画像などの記入データ（「ストロークデータ」ともいう）が取得される。この記入データが、データ通信ユニットによりアノトペンから近くのパーソナルコンピュータや携帯電話などの端末装置に送信される。このアノトペンを利用したシステムは、キーボードに代わる入力デバイスとして利用することが可能であり、上述のパーソナルコンピュータやキーボードの使用に抵抗がある利用者にとっては非常に使いやすい。一方、官公庁などの各種申請書類の提出先でも、利用者の記入事項は従来のように紙の書類としてではなく、記入データとして取得することができるので、そのままその後サーバなどによって電子的な処理を行うことができるというメリットがある。
【０００５】
上記のようなシステムでは、利用者は電子ペンを使用して申請書類を作成し、申請書類に対する記入事項に対応する記入データを、ネットワークを通じ、当該電子ペン近くの端末装置を介して提出先サーバに送信する。一方、提出先サーバなどでは、受信した記入データに基づいて申請書類を作成し、必要な受付処理などを行う。このような受付処理を行うために提出先サーバは、利用者が電子ペンを使用して作成した申請書類を利用者毎など個別に識別する必要がある。
【０００６】
【発明が解決しようとする課題】
しかし、申請書類を識別するために、全て異なるドットパターンが印刷された申請書類を複数用意することは、製造上の問題やコストの面から問題が生じる。
【０００７】
本発明は、以上の点に鑑みてなされたものであり、申請書類に印刷されるドットパターンのうち、一部を一意なドットパターンとすることにより、容易に各種申請書類を識別することが可能な識別処理システムを提供することを課題とする。
【０００８】
【課題を解決するための手段】
本発明の１つの観点では、インクペンユニット及び光学的にドットパターンを読み取る読み取りユニットを備える電子ペンが認識可能なドットパターンを有する複数のシールから構成されるシール台紙であって、前記シールが有する前記ドットパターンは全て異なる識別情報に関連付けされている。
【０００９】
上記のシール台紙は、添付（又は、貼付）及び剥離が可能な複数のシールにより構成されており、当該シールは、電子ペンが認識可能なドットパターンを有する。個々のシールが有するドットパターンは全て異なるものであり、所定の識別情報に関連付けられている。ここで、所定の識別情報とは、例えば、電子ペンを使用する利用者の利用者ＩＤ等である。これによれば、利用者が電子ペンを使用してシールをチェックすることにより、所定のサーバや端末装置は、当該シールが有するドットパターンを取得することができる。さらに、所定のサーバ等は、取得したドットパターンに関連付けられた識別情報を取得することができる。つまり、利用者が電子ペンを使用してシールをチェックするだけで、所定のサーバ等は、容易に当該利用者の利用者ＩＤといった識別情報を取得することができる。
【００１０】
本発明の他の観点では、帳票セットは、インクペンユニット及び光学的にドットパターンを読み取る読み取りユニットを備える電子ペンが認識可能なドットパターンを有する複数のシールから構成され、前記シールが有する前記ドットパターンはそれぞれ異なる識別情報に関連付けされているシール台紙と、前記ドットパターンを有し、前記電子ペンにより記入される複数の記入欄及び前記シールを添付するためのシール添付領域を有する帳票により構成される。
【００１１】
上記の帳票セットは、シール台紙と帳票により構成される。ここで、シール台紙は、ドットパターンを有しており、所定の識別情報と関連付けされた複数のシールにより構成される。また、帳票は、利用者が電子ペンを使用して記入する記入欄及びシールを添付するためのシール添付領域を有する。これによれば、帳票に所定の識別情報と関連付けされたシールを添付することができる。つまり、帳票が有する記入欄に記入されたデータの識別情報と、当該帳票に添付したシールを関連付けることができる。よって、所定のサーバ等は、利用者が電子ペンを使用して帳票に添付されたシールをチェックするだけで、容易に、帳票が有する記入欄に記入されたデータの識別情報を取得することができる。即ち、所定のサーバ等は、容易に記入データを取得することができる。
【００１２】
上記の帳票セットの他の一態様では、前記シール添付領域は、前記帳票において任意に設定することができる。これによれば、例えばシール添付領域を記入欄上に設定したりすること等も可能である。また、必ずしもシール添付領域が視覚的に認識できる必要はなく、罫線等で囲まれていなくてもよい。
【００１３】
本発明の他の観点では、インクペンユニット及び光学的にドットパターンを読み取る読み取りユニットを備える電子ペンと、電子ペンが認識可能なドットパターンを有する複数のシールから構成され、前記シールが有する前記ドットパターンは異なる識別情報に関連付けされているシール台紙と、前記ドットパターンを有し、前記電子ペンにより記入される複数の記入欄及び前記シールを添付するためのシール添付領域を有する帳票と、前記電子ペンを使用して前記シールが前記シール添付領域に添付された前記帳票への記入を行う利用者が使用する端末装置と、ネットワークを介して前記端末装置と通信可能な識別処理サーバから構成される識別処理システムであって、前記端末装置は、前記利用者が前記電子ペンを使用して前記記入欄に記入した記入データ及び前記利用者が前記電子ペンを使用して前記帳票に添付された前記シールをチェックした位置データを情報として受信する情報受信手段と、受信した前記情報を前記識別処理サーバへ送信する情報送信手段と、を備え、前記識別処理サーバは、前記ドットパターンに基づく位置データに対応付けて、前記シールが有する前記ドットパターンのエリアをエリア情報として記憶するエリア情報記憶手段と、前記端末装置から前記情報を新規情報として受信する新規情報受信手段と、前記新規情報に含まれる前記位置データ及び前記エリア情報に基づいて、前記帳票に添付されたシールが有する前記エリアを特定する新規エリア特定手段と、前記新規エリア特定手段が特定した前記エリアに関連付けた識別情報を作成する識別情報作成手段と、作成した前記識別情報に基づいて前記記入データを記入情報として記憶する記入情報記憶手段と、を備える。
【００１４】
上記のように構成された識別処理システムにおいて、シール台紙を構成するシールは、帳票のシール添付領域に添付される。また、識別処理サーバは、シールが有するドットパターンに基づく位置データに対応付けて、前記シールのエリアをエリア情報として予め記憶する。ここで、位置データとはドットパターンに基づく座標データ等である。まず、利用者は、電子ペンを使用して帳票の記入欄へ所定の記入を行い、シール添付領域に添付されたシールをチェックする。端末装置は、電子ペンから利用者が記入した記入データ及びチェックした位置データを受信し、識別処理サーバへ送信する。記入データ及び位置データを新規情報として受信した識別処理サーバは、当該位置データ及び予め記憶されたエリア情報に基づいて帳票に添付されたシールのエリアを特定する。さらに、識別処理サーバは、特定したシールのエリアに関連付けて識別情報を作成する。ここで、識別情報とは、例えば、エリアと１対１に関連付けて作成する利用者の識別情報、エリア及びペンＩＤに基づいて作成する記入データの識別情報などであり、種々の識別情報に適用することができる。そして、識別処理サーバは、作成した識別情報に基づいて記入データを記憶する。
【００１５】
これによれば、帳票に添付したシールのエリアに関連付けた識別情報に基づいて、記入データを記憶することができる。言い換えれば、識別処理サーバは、利用者が電子ペンを使用してシールをチェックすることで作成する識別情報に基づいて、帳票の記入データを管理することができる。また、これによれば、複数の帳票が有するドットパターンが同一であっても、シール添付領域に添付されるシールのドットパターンが異なれば、当該帳票に個別な識別情報を作成することができる。つまり、全て異なるドットパターンを有する帳票を製造しなくても、シールの添付により個々の帳票を認識することが可能となる。よって、ドットパターンを節約すると共に、帳票の製造におけるコストを軽減することができる。
【００１６】
本発明の他の観点では、インクペンユニット及び光学的にドットパターンを読み取る読み取りユニットを備える電子ペンと、電子ペンが認識可能なドットパターンを有する複数のシールから構成され、前記シールが有する前記ドットパターンは異なる識別情報に関連付けされているシール台紙と、前記ドットパターンを有し、前記電子ペンにより記入される複数の記入欄及び前記シールを添付するためのシール添付領域を有する帳票と、前記電子ペンと通信可能な識別処理装置から構成される識別処理システムであって、前記識別処理装置は、前記ドットパターンに基づく位置データに対応付けて、前記シールが有する前記ドットパターンのエリアをエリア情報として記憶するエリア情報記憶手段と、前記利用者が前記電子ペンを使用して前記記入欄に記入した記入データ及び前記利用者が前記電子ペンを使用して前記帳票に添付された前記シールをチェックした位置データを新規情報として受信する新規情報受信手段と、前記新規情報に含まれる前記位置データ及び前記エリア情報に基づいて、前記帳票に添付されたシールが有する前記エリアを特定する新規エリア特定手段と、前記新規エリア特定手段が特定した前記エリアに関連付けた識別情報を作成する識別情報作成手段と、作成した前記識別情報に基づいて前記記入データを記入情報として記憶する記入情報記憶手段と、を備える。
【００１７】
上記のように構成された識別処理システムにおいて、シール台紙を構成するシールは、帳票のシール添付領域に添付される。また、識別処理装置は、シールが有するドットパターンに基づく位置データに対応付けて、前記シールのエリアをエリア情報として予め記憶する。まず、利用者は、電子ペンを使用して帳票の記入欄へ所定の記入を行い、シール添付領域に添付されたシールをチェックする。識別処理装置は、電子ペンから利用者が記入した記入データ及びチェックした位置データを受信する。さらに、識別処理装置は、当該位置データ及び予め記憶されたエリア情報に基づいて帳票に添付されたシールのエリアを特定する。そして、識別処理装置は、特定したシールのエリアに関連付けて識別情報を作成し、当該識別情報に基づいて記入データを記憶する。
【００１８】
これによれば、インターネットをはじめとする大規模ネットワークを介することなく、識別処理システムは、利用者が電子ペンを使用してシールをチェックすることで作成する識別情報に基づいて、帳票の記入データの管理をすることができる。
【００１９】
本発明の他の観点では、インクペンユニット及び光学的にドットパターンを読み取る読み取りユニットを備える電子ペンを使用して、シールが添付された帳票への記入を行う利用者が使用する端末装置とネットワークを介して通信可能な識別処理サーバにおいて、前記シール及び前記帳票は前記ドットパターンを有しており、前記ドットパターンに基づく位置データに対応付けて、前記シールが有する前記ドットパターンのエリアをエリア情報として記憶するエリア情報記憶手段と、前記端末装置から、前記利用者が前記電子ペンを使用して前記帳票に記入した記入データ、及び、前記利用者が前記電子ペンを使用して前記シールにチェックした位置データを新規情報として受信する新規情報受信手段と、前記新規情報に含まれる前記位置データ及び前記エリア情報に基づいて、前記帳票に添付されたシールが有する前記エリアを特定する新規エリア特定手段と、前記新規エリア特定手段が特定した前記エリアに関連付けて識別情報を作成する識別情報作成手段と、作成した前記識別情報に基づいて前記記入データを記憶する記入データ記憶手段と、を備える。
【００２０】
上記のように構成された識別処理サーバにおいて、利用者は、電子ペンを使用して帳票の記入欄へ所定の記入を行い、シール添付領域に添付されたシールをチェックする。端末装置は、電子ペンから利用者が記入した記入データ及びチェックした位置データを受信し、識別処理サーバへ送信する。記入データ及び位置データを新規情報として受信した識別処理サーバは、当該位置データ及び予め記憶されたエリア情報に基づいて帳票に添付されたシールのエリアを特定する。さらに、識別処理サーバは、特定したシールのエリアに関連付けて識別情報を作成する。そして、識別処理サーバは、作成した識別情報に基づいて記入データを記憶する。
【００２１】
これによれば、識別処理サーバは、利用者が電子ペンを使用してシールをチェックすることで作成する識別情報に基づいて、帳票の記入データを管理することができる。また、これによれば、複数の帳票が有するドットパターンが同一であっても、シール添付領域に添付されるシールのドットパターンが異なれば、当該帳票に個別な識別情報を作成することができる。よって、ドットパターンを節約すると共に、帳票の製造におけるコストを軽減することができる。
【００２２】
上記の識別処理サーバの他の一態様では、前記端末装置から、前記利用者が前記電子ペンを使用して既に記入済の前記帳票に追記した追記データ、及び、前記利用者が前記電子ペンを使用して前記帳票に添付された前記シールにチェックした位置データを追記情報として受信する追記情報受信手段と、前記追記情報に含まれる前記位置データ及び前記エリア情報に基づいて、追記した前記帳票に添付されたシールが有する前記エリアを特定する追記エリア特定手段と、前記追記エリア特定手段が特定した前記エリアに基づいて前記識別情報を取得する識別情報取得手段と、前記識別情報及び前記追記データに基づいて、前記記入データ記憶手段が記憶した前記記入データを更新する更新手段と、をさらに備える。
【００２３】
上記のように構成された識別処理サーバにおいて、利用者は、電子ペンを使用して既に記入済の帳票に追記を行い、シール添付領域に添付されたシールをチェックする。ここで、追記とは、例えば、住所変更のために帳票が有する住所の記入欄において、旧住所を二重線等で削除し、新住所を記入することなどである。端末装置は、電子ペンから利用者が追記した追記データ及びチェックした位置データを受信し、識別処理サーバへ送信する。追記データ及びチェックした位置データを追記情報として受信した識別処理サーバは、当該位置データ及びエリア情報に基づいて、利用者が追記した帳票に添付されたシールのエリアを特定する。さらに、識別処理サーバは、特定したエリアに基づき、利用者が追記した帳票の記入データに関連付けて作成した識別情報を取得する。そして、識別処理サーバは、取得した識別情報に基づいて記入データを検索し、追記データに基づいて当該記入データを更新する。具体的に、利用者の追記が住所変更であったならば、当該記入データの住所を追記データに基づいて変更する。
【００２４】
これによれば、利用者が電子ペンを使用してシールをチェックするだけで、識別処理サーバは、追記前の記入データを検索し、追記データに基づいて当該記入データを更新することができる。即ち、識別処理サーバは、利用者がチェックしたシールのエリアに基づいてデータの認識を行う。よって、従来の文字認識等に基づくデータの認識と比較して、利用者の操作が簡便であり、誤認識や人為的な入力ミスを大幅に軽減することができる。
【００２５】
上記の識別処理サーバの他の一態様では、複数の前記シールから構成される上位エリアを設定し、前記識別処理サーバは、前記ドットパターンに基づく位置データに対応付けて、前記上位エリアを上位エリア情報として記憶する上位エリア情報記憶手段をさらに備え、前記新規エリア特定手段は、前記位置データ、前記エリア情報及び前記上位エリア情報に基づいて前記新規エリアを特定し、前記追記エリア特定手段は、前記位置データ、前記エリア情報及び前記上位エリア情報に基づいて前記追記エリアを特定する。
【００２６】
これによれば、識別処理サーバは、新規エリア又は追記エリアを特定する際に、まず、帳票に添付されたシールをチェックした位置データ及び上位エリア情報に基づいて上位エリアを特定する。そして、識別処理サーバは、当該位置データ及びエリア情報に基づいて、上位エリアを構成するシールのみを検索することで新規エリア又は追記エリアを特定する。よって、上位エリアを設定しない場合と比較して、エリアを特定するための検索数が少なく、識別処理サーバの負荷を軽減することができる。
【００２７】
上記の識別処理サーバのさらに他の一態様では、１つの前記シールが有する前記ドットパターンのエリアは複数の分割エリアによって構成されており、前記利用者が前記電子ペンを使用して前記シールにチェックした位置データに基づいて、前記シールを構成する前記分割エリア及び／又は前記分割エリアの組合せのいずれかを特定する分割エリア特定手段をさらに備え、前記識別情報作成手段は、前記分割エリア特定手段が特定した前記分割エリア及び／又は前記分割エリアの組合せに関連付けて識別情報を作成する。
【００２８】
これによれば、１つのシールが有するエリアを複数に分割することができる。例えば、シールのエリアが「新規」及び「追記」の均等な２つのエリアに分割されている場合、識別処理サーバは、利用者が電子ペンを使用していずれのエリアをチェックしたかを特定する。よって、利用者は必ず行うシールのチェックと同時に「新規」又は「追記」のチェックを行うことができる。また、例えば、シールのエリアが「Ａ」、「Ｂ」及び「Ｃ」のように、均等な３つのエリアに分割されている場合、識別処理サーバは、利用者が電子ペンを使用していずれのエリア又はエリアの組合せをチェックしたかを特定する。よって、同一ドットパターンを有する帳票及びシールであっても、分割エリアのチェックの組合せにより、さらに複数回当該帳票を識別することが可能となる。
【００２９】
本発明の別の観点では、インクペンユニット及び光学的にドットパターンを読み取る読み取りユニットを備える電子ペンと通信可能な識別処理装置において、利用者は前記電子ペンを使用してシールが添付された帳票への記入を行い、前記シール及び帳票は前記ドットパターンを有しており、前記識別処理装置は、前記ドットパターンに基づく位置データに対応付けて、前記シールが有する前記ドットパターンのエリアをエリア情報として記憶するエリア情報記憶手段と、前記電子ペンから、前記利用者が前記電子ペンを使用して前記帳票に記入した記入データ、及び、前記利用者が前記電子ペンを使用して前記シールにチェックした位置データを新規情報として受信する新規情報受信手段と、前記新規情報に含まれる前記位置データ及び前記エリア情報に基づいて、前記帳票に添付されたシールが有する前記エリアを特定する新規エリア特定手段と、前記新規エリア特定手段が特定した前記エリアに関連付けて識別情報を作成する識別情報作成手段と、作成した前記識別情報に基づいて前記記入データを記憶する記入データ記憶手段と、を備える。
【００３０】
これによれば、インターネットをはじめとする大規模ネットワークを介することなく、識別処理装置は、利用者が電子ペンを使用してシールをチェックすることで作成する識別情報に基づいて、帳票の記入データの管理をすることができる。
【００３１】
本発明の他の観点では、インクペンユニット及び光学的にドットパターンを読み取る読み取りユニットを備える電子ペンを使用して、シールが添付された帳票への記入を行う利用者が使用する端末装置とネットワークを介して通信可能なコンピュータにより実行されるプログラムであって、前記シール及び前記帳票は前記ドットパターンを有しており、前記ドットパターンに基づく位置データに対応付けて、前記シールが有する前記ドットパターンのエリアをエリア情報として記憶するエリア情報記憶手段、前記端末装置から、前記利用者が前記電子ペンを使用して前記帳票に記入した記入データ、及び、前記利用者が前記電子ペンを使用して前記シールにチェックした位置データを新規情報として受信する新規情報受信手段、前記新規情報に含まれる前記位置データ及び前記エリア情報に基づいて、前記帳票に添付されたシールが有する前記エリアを特定する新規エリア特定手段、前記新規エリア特定手段が特定した前記エリアに関連付けて識別情報を作成する識別情報作成手段、作成した前記識別情報に基づいて前記記入データを記憶する記入データ記憶手段、として前記コンピュータを機能させる。
【００３２】
本発明のさらに別の観点では、インクペンユニット及び光学的にドットパターンを読み取る読み取りユニットを備える電子ペンと通信可能なコンピュータにより実行されるプログラムにおいて、利用者は前記電子ペンを使用してシールが添付された帳票への記入を行い、前記シール及び帳票は前記ドットパターンを有しており、前記プログラムは、前記ドットパターンに基づく位置データに対応付けて、前記シールが有する前記ドットパターンのエリアをエリア情報として記憶するエリア情報記憶手段、前記電子ペンから、前記利用者が前記電子ペンを使用して前記帳票に記入した記入データ、及び、前記利用者が前記電子ペンを使用して前記シールにチェックした位置データを新規情報として受信する新規情報受信手段、前記新規情報に含まれる前記位置データ及び前記エリア情報に基づいて、前記帳票に添付されたシールが有する前記エリアを特定する新規エリア特定手段、前記新規エリア特定手段が特定した前記エリアに関連付けて識別情報を作成する識別情報作成手段、作成した前記識別情報に基づいて前記記入データを記憶する記入データ記憶手段、として前記コンピュータを機能させる。
【００３３】
上記のプログラムをコンピュータにより実行することにより、上述の識別処理サーバ又は識別処理装置を実現することができる。また、上述の識別処理サーバ又は識別処理装置の各態様も同様に実現することができる。
【００３４】
【発明の実施の形態】
以下、図面を参照して本発明の好適な実施の形態について説明する。まず始めに、本発明のシステムにおいて入力デバイスとして使用される電子ペンの概要について説明する。
【００３５】
［電子ペン］
図１は電子ペンの使用形態を模式的に示す図であり、図２は電子ペンの構造を示す機能ブロック図である。図１に示すように、電子ペン１０は、ドットパターンが印刷された専用ペーパー２０と組み合わせて使用される。電子ペン１０は、通常のインクペンと同様のペン先部１７を備えており、利用者は通常のインクペンと同様に専用ペーパー２０上に文字などを書くことになる。
【００３６】
図２に示すように、電子ペン１０は、その内部にプロセッサ１１、メモリ１２、データ通信ユニット１３、バッテリー１４、赤外線ＬＥＤ１５、カメラ１６及び圧力センサ１８を備える。また、電子ペン１０は通常のインクペンと同様の構成要素としてインクカートリッジ（図示せず）などを有する。
【００３７】
電子ペン１０は、ペン先部１７により専用ペーパー２０上に描かれたインクの軌跡をデータ化するのではなく、専用ペーパー２０上で電子ペン１０が移動した軌跡座標をデータ化する。赤外線ＬＥＤ１５が専用ぺーパー２０上のペン先部１７近傍を照明しつつ、カメラ１６が専用ペーパー２０に印刷されているドットパターンを読み取り、データ化する。つまり、電子ペン１０は専用ペーパー２０上で利用者が電子ペン１０を移動させることにより生じるストロークを画像データ又はベクトルデータとして取得することができる。
【００３８】
圧力センサ１８は、利用者が電子ペン１０により専用ペーパー上に文字などを書く際にペン先部１７に与えられる圧力、即ち筆圧を検出し、プロセッサ１１へ供給する。プロセッサ１１は、圧力センサ１８から与えられる筆圧データに基づいて、赤外線ＬＥＤ１５及びカメラ１６のスイッチオン／オフの切換を行う。即ち、利用者が電子ペン１０で専用ペーパー２０上に文字などを書くと、ペン先部１７には筆圧がかかる。よって、所定値以上の筆圧が検出されたときに、利用者が記述を開始したと判定して、赤外線ＬＥＤ１５及びカメラ１６を作動する。
【００３９】
カメラ１６は専用ペーパー２０上のドットパターンを読み取り、そのパターンデータをプロセッサ１１に供給する。プロセッサ１１は、供給されたドットパターンから、専用ペーパー２０上でのＸ／Ｙ座標を算出する。
【００４０】
プロセッサ１１は、利用者の記述が行われる間に、筆圧の配列データ及びＸ／Ｙ座標データを取得し、タイムスタンプ（時間情報）と関連付けてメモリ１２に記憶していく。よって、メモリ１２内には利用者の記述内容に対応するデータが時系列で記憶されていく。メモリ１２の容量は例えば１Ｍバイト程度とすることができる。
【００４１】
利用者により送信指示がなされるまでは、取得された全てのデータはメモリ１２内に保持される。そして、利用者が送信指示を行うと、データ通信ユニット１３により、電子ペン１０と所定距離内にある端末装置２５へメモリ１２内のデータが送信される。基本的には、一度送信指示がなされると、電子ペン１０はメモリ１２内に記憶していた全てのデータを端末装置２５へ送信するため、メモリ１２内はクリアされる。よって、送信後にもう一度同じ情報を端末装置２５へ送信したい場合には、利用者は専用ペーパー２０上に再度記述を行う必要がある。なお、この場合、利用者は専用ペーパー２０上にインクペンで書かれた文字などをなぞればよいことになる。
【００４２】
電子ペン１０自体は、送信ボタンなどの機能ボタンを備えておらず、送信指示その他の指示は、利用者が専用ペーパー２０上の所定位置に設けられた専用ボックスを電子ペン１０でチェックすることにより実行される。専用ボックスの位置座標には、予め送信指示が対応付けられており、プロセッサ１１は専用ボックスの位置座標を受信すると、データ通信ユニット１３にメモリ１２内のデータを供給し、端末装置２５への送信を行わせる。なお、電子ペン１０はディスプレイやボタンなどを持たないが、データの送信完了を電子ペンの振動により示すことができる。
【００４３】
バッテリー１４は電子ペン１０内の各要素に電源供給するためのものであり、例えば電子ペンのキャップ（図示せず）により電子ペン１０自体の電源のオン／オフを行うことができる。
【００４４】
このように、電子ペン１０は利用者が専用ペーパー２０上に記述した文字などに対応する座標データ及び筆圧データを取得して近傍の端末装置２５へ送信する機能を有するが、電子ペン１０のペン先部１７は通常のインクペンとなっているため、専用ペーパー２０上に記述した内容はオリジナルの原本として残るという特徴がある。即ち、紙の原本に対して記述するのと同時に、その内容を座標データなどの形態でリアルタイムに電子化することができる。
【００４５】
なお、電子ペン１０の標準機能によれば、電子ペン１０により得られるデータは、原則として座標データ又はベクトルデータの形態であり、テキストデータではない。但し、電子ペン１０は標準機能として、専用ペーパー２０上に設けられた専用エリアに記述することにより、英数字に限りテキスト化する機能は備えている。
【００４６】
また、電子ペン１０内には、ペン自体及びその所有者に関するプロパティ情報（ペン情報及びペン所有者情報）を保持することができ、アプリケーションから参照することができる。ペン情報としては、バッテリーレベル、ペンＩＤ、ペン製造者番号、ペンソフトウェアのバージョン、サブスクリプションプロバイダのＩＤなどを保持できる。また、ペン所有者情報としては、国籍、言語、タイムゾーン、ｅｍａｉｌアドレス、空きメモリ容量、名称、住所、ファックス／電話番号、携帯電話番号などを保持することができる。
【００４７】
なお、上記の例におけるデータ通信ユニット１３では、Ｂｌｕｅｔｏｏｔｈの無線伝送、ＵＳＢケーブルを使用した有線伝送、端子などの接触によるデータ伝送など、各種の方法によって電子ペン１０から端末装置２５へのデータ送信を行うことが考えられる。
【００４８】
次に、電子ペンにより利用者が記述した内容のＸ／Ｙデータを取得する方法について説明する。前述のように専用ペーパー２０には、所定のドットパターンが印刷されている。電子ペン１０のカメラ１６は、利用者が専用ペーパー２０上に記述したインクの軌跡を読み取るのではなく、専用ペーパー２０上のドットパターンを読み取る。実際、図１に示すように、赤外線ＬＥＤ１５による照明エリア及びカメラ１６の撮影エリア（照明エリア内に位置する）は、ペン先部１７が専用ペーパー２０に接触する位置とはずれている。
【００４９】
ドットパターンはカーボンを含む専用インキなどで印刷されており、カメラ１６はその専用インキによるパターンのみを認識することができる。専用インキ以外のインキ（カーボンを含まない）により、専用ペーパー上に罫線や枠などを印刷しても、電子ペンはそれらを認識することはない。よって、専用ペーパーを利用して各種申込書などの帳票を作成する際は、専用インキ以外のインキで入力枠や罫線、注意書きなどを印刷する。
【００５０】
ドットパターンは、図３に例示するように、各ドットの位置がデータに対応付けされている。図３の例では、ドットの位置を格子の基準位置（縦線及び横線の交差点）から上下左右にシフトすることにより、０〜３の２ビット情報を表示した例である。このようにして表現された情報の組合せにより、専用ペーパー上の位置座標が決定される。図４（ａ）に例示するように、縦横２ｍｍの範囲内に３６個のドットが格子状に配置され、これらのドットにより示されるデータの配列（図４（ｂ））が、その専用ペーパー上の位置座標と対応付けされている。よって、電子ペン１０のカメラ１６が図４（ａ）に示すようなドットパターンを撮影すると、プロセッサ１１はカメラ１６から入力されるドットパターンのデータに基づいて図４（ｂ）に示すデータ配列を取得し、それに対応する専用ペーパー上の位置座標（即ち、そのドットパターンがその専用ペーパー上のどの位置にあるのか）をリアルタイムで算出する。なお、ドットパターンを認識する最小単位は２ｍｍ×２ｍｍであり、カメラ１６は毎秒１００回程度の撮影を行う。
【００５１】
次に、専用ペーパーについて説明する。専用ペーパーの構造の一例を図５に示す。図示のように、専用ペーパー２０は、台紙３０上にドットパターン３２が印刷され、その上に罫線などの図案３４が印刷されている。台紙３０は通常は紙であり、ドットパターン３２は前述のようにカーボンを含んだ専用インキにより印刷される。また、通常のインキなどにより図案３４が印刷される。ドットパターンと図案とは同時に印刷してもよいし、いずれかを先に印刷してもよい。
【００５２】
図案３４の例を図６に示す。図６は、ある申込書３６の例であり、複数の記入欄３８や送信ボックス３９が印刷されている。図６には明確に図示されておらず、詳細は後述するが、実際にはドットパターンが申込書３６の全面に印刷されており、その上に記入欄３８や送信ボックス３９が通常のインキにより印刷されている。利用者は、ドットパターンを意識することなく、従来からある申込書と同様に、電子ペン１０を使用して必要事項を申込書３６の各記入欄３８に記入すればよい。
【００５３】
専用ペーパー２０上のエリアは大きく２種類のエリアに分けることができる。１つは記入エリアであり、電子ペン１０による記述内容をそのまま情報として取り扱うエリアである。図６の例では複数の記入欄３８がこれに該当する。もう１つは機能エレメントであり、対応するエリア内を電子ペン１０でチェックした際に、予めそのエリアに対して定義されているアクション、指示などを実行するようになっている。図６の例における送信ボックス３９がこれに該当する。
【００５４】
送信ボックス３９は前述したように電子ペン１０内に記憶されているデータを近傍の端末装置２５へ送信するための指示を行う際に使用される。利用者が送信ボックス３９内に電子ペン１０でチェックを入れると、電子ペン１０が送信ボックス内のドットパターンを読み取る。当該パターンは送信指示に対応付けられており、電子ペン１０内のプロセッサ１１はデータ通信ユニット１３にメモリ１２内の記憶データの送信命令を発する。
【００５５】
ドットパターンの割り当ては、通常、アプリケーション（用紙の種類）毎に行われる。即ち、ある申込書内のドットパターンは１枚の用紙の中で重複することはないが、同一の申込書には全て同じドットパターンが印刷されている。よって、利用者が電子ペン１０で必要事項を入力すると、その入力事項がその申込書のどの項目に対するものであるかを、申込書上の座標データから特定することができる。
【００５６】
このように、ドットパターンを印刷した専用ペーパー上に所定の図案を印刷することにより、専用ペーパーを利用した各種申込書が作成できる。利用者は電子ペン１０を使用して通常の要領で必要事項を記入すれば、その電子データが自動的に取得される。
【００５７】
上記の例では、ドットパターンは専用ペーパー上にカーボンを含むインキにより印刷されているが、プリンタ及びカーボンを含むインクを使用してドットパターンを通常の紙上にプリントすることも可能である。さらに、専用ペーパー上の図案も印刷ではなく、プリンタにより形成することも可能である。ドットパターンをプリンタにより紙上に形成する場合には、１枚１枚に異なるドットパターンを形成することが可能である。よって、形成されたドットパターンの違いにより、それらの用紙１枚１枚を識別し、区別することが可能となる。
【００５８】
なお、本明細書においては、「印刷」の語は、通常の印刷のみならず、プリンタによるプリントも含む概念とする。
【００５９】
次に、電子ペンにより取得したデータの送信処理について図２を参照して説明する。電子ペン１０が取得したデータは、主として利用者が入力した事項のデータであるが、通常はそのデータの送信先であるサービスサーバがどこであるかの情報は含まれていない。その代わりに、その専用ペーパーに関するアプリケーションやサービスを特定する情報が専用ペーパー上のドットパターンに含まれており、利用者の入力作業中に専用ペーパーからその情報が取得されている。よって、電子ペン１０から記入データを受け取った端末装置２５は、まず、問い合わせサーバ２６に対して、その専用ペーパーに対して入力されたデータをどのサービスサーバ２７へ送信すべきかの問い合わせを行う。問い合わせサーバ２６は、専用ペーパー毎に、対応するサービスサーバの情報を有しており、端末装置２５からの問い合わせに応じて、当該専用ペーパーに関するサービスなどを行うサービスサーバ２７の情報（ＵＲＬなど）を端末装置２５へ回答する。それから、端末装置２５は、電子ペンから取得した記入データをそのサービスサーバ２７へ送信することになる。なお、本実施形態において、詳細は後述するが、専用ペーパーに関するアプリケーションやサービスを特定する情報とは、記入データを取り扱うサービスサーバ２７の識別情報であるアプリケーションＩＤとする。
【００６０】
なお、上記の例では端末装置２５、問い合わせサーバ２６及びサービスサーバ２７が別個に構成されているが、これらの幾つか又は全てを１つの装置として構成することも可能である。本実施形態において、後述する識別処理サーバは、問い合わせサーバ２６及びサービスサーバ２７を兼ねているものとする。
【００６１】
［識別処理システム］
本発明の識別処理システムは、ドットパターンの一部を添付及び剥離が可能なシールに印刷し、同一のドットパターンが印刷された複数の申込書の一部に当該シールを添付（又は貼付）することを特徴とする。
【００６２】
図７に、本発明の実施形態に係る識別処理システムの概略構成を示す。識別処理システムは、専用台紙にドットパターンの印刷された申込書４と、ドットパターンの印刷された複数のシールから構成されるシール台紙５０と、入力デバイスの電子ペン１０と、電子ペンのデータ通信ユニット１３により申込情報を送受信する端末装置２５と、申込情報に基づいて申込データを作成し、当該申込データに基づいて所定の受付処理を行う識別処理サーバ３とで構成される。ここで、申込情報とは、詳細は後述するが、記入データ及びアプリケーションＩＤから構成されている。また、記入データにはシールの位置データが含まれるものとする。ここで、位置データは、本実施形態においてはドットパターンに基づく座標データであるとする。なお、識別処理サーバ３及び端末装置２５はネットワーク２を介して相互に接続されている。ネットワーク２の好適な例としてはインターネットが挙げられる。
【００６３】
端末装置２５は、入力デバイスである電子ペン１０の近くにあり、電子ペン１０のデータ通信ユニット１３により申込情報を受信し、当該申込情報を構成するアプリケーションＩＤに基づいて識別処理サーバ３へ送信する。
【００６４】
識別処理サーバ３は、図７に示すように、エリアデータベース（以下、「ＤＢ」と呼ぶ。）７及び申込ＤＢ９に接続されている。識別処理サーバ３は、詳細は後述するが、端末装置２５を介して受信した申込情報に含まれるシールの位置データに基づいて識別情報である申込ＩＤを発行する。そして、識別処理サーバ３は、申込情報に基づいて申込データを作成し、発行した申込ＩＤをキーとして当該申込データを申込ＤＢ９に記憶する。さらに、識別処理サーバ３は、当該申込データに基づいて所定の受付処理を行う。ここで、所定の受付処理とは、例えば銀行の新規口座開設処理等である。
【００６５】
［申込書及びシール台紙］
次に、利用者が記入する申込書及び複数のシールで構成されるシール台紙５０について図８乃至図１１を参照して説明する。図８は、一定の範囲のドットパターン４０を申込書用エリア４１、機能エレメント用エリア４２及びシール台紙用エリア４３に割り当てる際の概念図である。なお、ドットパターン４０の範囲内であれば、利用者が電子ペン１０を使用して記入した全てのデータが、機能エレメントエリア４２内のドットパターンが印刷された送信ボックスにより識別処理サーバ３へ送信されるものとする。
【００６６】
図９は、識別処理サーバ３による受付処理のために、利用者が電子ペン１０を使用して記入を行う申込書の例である。申込書４は、氏名、住所、電話番号等の記入欄、シール添付領域４７及び送信ボックス４８により構成されている。ここで、シール添付領域とは、シールを添付又は貼付する領域である。
【００６７】
なお、本実施形態においてシール添付領域は図９に示すように設定されているが、本発明はこれに限定されるものではなく、申込書４上であれば任意に設定することができる。また、視覚上認識できなくてもよいため、シール添付領域を必ずしも罫線で囲む必要はない。よって、申込書４を構成する記入欄の上にシール添付領域を設定したり、申込書４上であればシールをどこに添付してもいいように設定したりすることもできる。
【００６８】
ここで、申込書４を構成する送信ボックス４８を囲む点線の範囲は、図８に示す機能エレメント用エリア４２のドットパターンが印刷される。また、申込書４を構成するシール添付領域４７を囲む点線の範囲は、詳細は後述するが、図８に示すシール台紙用エリア４３のドットパターンの一部が印刷されたシールが添付される。そして、申込書４を構成する送信ボックス４８以外の範囲は、図８に示す申込書用エリア４１のドットパターンが印刷される。
【００６９】
申込書４は、上述のとおり、専用台紙上に所定のドットパターン印刷が施されており、利用者が目にする記入欄はその上に図案として通常のインキなどで印刷されている。利用者は、申込書４の書式に従って、通常のペンで書き込むのと同様に電子ペン１０で記入する。電子ペン１０は、利用者による記入の軌跡に対応するドットパターンを読み取り、入力位置を座標データとして記憶する。また、電子ペン１０は、当該ペンの軌跡を表すストロークデータ、つまり申込内容及びそれらが記入された記入位置データもメモリ１２に記憶する。このような、利用者が電子ペン１０を使用して申込書４にした記入に基づく座標データやストロークデータ等を記入データと呼ぶ。
【００７０】
なお、利用者が電子ペン１０を使用して未記入の申込書４に新規に記入した際のデータを「記入データ」という。このとき利用者は申込書４上の新規ボックスにチェックをする。本実施形態では、既に記入された申込書４に追記として記入した際のデータを、記入データと区別する意味で以下「追記データ」と呼ぶことがある。このとき、利用者は申込書４上の追記ボックスにチェックをする。また、利用者が電子ペン１０を使用してシール添付領域４７に添付されたシールをチェックすることにより、当該シールの位置データも記入データ（又は、追記データ）に含まれるものとする。
【００７１】
申込書４を構成する送信ボックス４８は、予め端末装置２５へのデータ通信ユニット１３による通信指示に対応付けられている。利用者が記入を終え、送信ボックス４８をチェックマーク等でマーキングすることにより、電子ペン１０はメモリに記録された記入データ（又は、追記データ）及びアプリケーションＩＤを申込情報として端末装置２５を介し識別処理サーバ３へ送信する。
【００７２】
図１０は、申込書４のシール添付領域４７に添付するシールから構成されるシール台紙５０の例である。シール台紙５０は、図８に示すシール台紙用エリア４３のドットパターンが印刷される。シール台紙５０は、縦横８個ずつ、計６４個のシールから構成されており、「００１」から「０６４」までの通し番号が付されている。ここで、当該通し番号は、各シールに印刷されたドットパターンのエリアを識別するエリア番号である。また、各シールは、シール台紙５０から剥離することが可能である。具体的に、本実施形態では、エリア番号「００１」であるシール５１を、図９に示す申込書４のシール添付領域４７に添付したものとする。
【００７３】
［識別処理サーバ］
次に、識別処理サーバについて、図１１乃至図１４を参照し、詳細に説明する。図１１は、シール台紙を構成するシールに印刷されたドットパターンのエリアを座標により特定する図である。また、図１２はエリアＤＢ７のデータ構造を模式的に示す図であり、図１３は申込ＤＢ９のデータ構造を模式的に示す図である。さらに、図１４は、本発明の識別処理システムの、特に識別処理サーバ３の機能構成を示す図である。
【００７４】
本実施形態では、図１１に示すように、シール台紙５０の横方向の位置を示す座標をｘ座標、縦方向の位置を示す座標をｙ座標とし、座標により各シールに印刷されたドットパターンのエリアを特定する。具体的には、「座標５２（０，０）〜座標５３（１，１）」は、シール５１に印刷されたドットパターンのエリアを示す。即ち、エリア番号「００１」のエリアを特定する。また、「座標５４（７，７）〜座標５５（８，８）」は、シール５７に印刷されたドットパターンのエリアを示す。即ち、エリア番号「０６４」のエリアを特定する。
【００７５】
エリアＤＢ７は、図１２に示すように、座標データに対応付けて特定されるエリアのエリア番号を記憶している。なお、座標（ｘ１，ｙ１）は該当するエリアの左下の座標を、座標（ｘ２，ｙ２）は該当するエリアの右上の座標を示す。
【００７６】
申込ＤＢ９は、図１３に示すように、申込ＩＤをキーとして、エリア番号、名前、住所、電話番号等を申込データとして記憶している。申込ＩＤは、利用者が電子ペン１０を使用して新規に申込書４の記入を行った際に発行される識別情報である。エリア番号は、申込書４のシール添付領域４７に添付されたシールのエリア番号である。名前、住所、電話番号等は、電子ペン１０を使用して申込書４に記入を行った利用者の情報であり、申込情報として識別処理サーバ３が受信する記入データに基づき、申込ＩＤをキーとして記憶される。
【００７７】
具体的に、利用者「鈴木健太」が電子ペン１０を使用して新規に申込書４の記入を行い、当該記入に基づく申込情報を識別処理サーバ３が受信したとする。なお、申込書４のシール添付領域４７には、図１０に示す、エリア番号「００１」のシール５１が添付されているとする。この場合、識別処理サーバ３は、まず、申込ＩＤ「Ｎ０１２」を発行する。そして、識別処理サーバ３は、申込ＩＤ「Ｎ０１２」をキーとして、受信した申込情報に基づいて、エリア番号「００１」、名前「鈴木健太」等を申込ＤＢ９に記憶する。これにより、申込データ６０が作成される。即ち、申込ＤＢ９は、申込ＩＤをキーとして複数の申込データを記憶している。
【００７８】
次に、識別処理サーバ３の処理について図１４を参照し、詳細に説明する。図１４は、本発明の識別処理システムの、特に識別処理サーバ３の機能構成を示す図である。
【００７９】
図１４に示すように、識別処理サーバ３は、識別処理プログラム３ａ、エリア特定機能３ｂ、識別情報発行機能３ｃ、申込データ作成機能３ｄ、識別情報取得機能３ｅ及び申込データ更新機能３ｆを有する。なお、各機能３ｂ乃至３ｆは、識別処理サーバ３が有するＣＰＵが予め用意されたプログラムを実行することにより実現される。
【００８０】
識別処理プログラム３ａは、端末装置２５から受信した申込情報の識別を実行するプログラムである。
【００８１】
エリア特定機能３ｂは、識別処理プログラム３ａを実行することにより、申込書４を構成するシール添付領域４７（図９）に添付されたシールのエリアを特定する機能である。具体的には、申込情報を構成する記入データ（又は、追記データ）に含まれるシールの位置データ及び図１２に示すエリアＤＢ７に基づいてエリアを特定する。シールの位置データは座標データであるため、エリアＤＢ７に基づいてエリアを特定することが可能である。
【００８２】
識別情報発行機能３ｃは、利用者が電子ペン１０を使用して新規に申込書４への記入を行った際の申込情報に基づいて識別情報を発行する機能である。ここで、識別情報とは、例えば、新規の申込情報を識別する申込ＩＤ等である。
【００８３】
申込データ作成機能３ｄは、識別情報発行機能３ｃにより発行された申込ＩＤをキーとして申込情報に含まれる記入データ等に基づいて、図１３に示すような申込データ６０を作成する機能である。具体的に、申込データ６０は、エリア番号、名前、住所等により構成され、識別情報発行機能３ｃが発行した申込ＩＤをキーとして申込ＤＢ９に記憶される。
【００８４】
識別情報取得機能３ｅは、利用者が電子ペン１０を使用して既に記入された申込書４へ追記を行った際の申込情報に基づいて識別情報を取得する機能である。具体的には、エリア特定機能３ｂにより特定されたエリア及び申込ＤＢ９に基づいて申込ＩＤを取得する。
【００８５】
申込データ更新機能３ｆは、まず、識別情報取得機能３ｅにより取得された申込ＩＤをキーとして該当する申込データを検索する。そして、申込データ更新機能３ｆは、申込情報に含まれる追記データ等に基づいて該当する申込データを更新する。例えば、追記データとして住所変更が含まれていた場合、対応する申込データの住所を更新する。
【００８６】
なお、識別処理サーバ３は、上記に示す機能の他にも、申込情報受信機能や受付処理機能等を備えるが、本発明の特徴的な部分ではないため便宜上説明を省略する。
【００８７】
［エリア特定処理］
次に、利用者が電子ペン１０を使用してチェックしたシールの位置データに基づいて当該エリアを特定する処理について説明する。
【００８８】
まず、エリア特定処理１について図１５のフローチャートを参照して説明する。利用者は、電子ペン１０を使用して新規に申込書４（図９）における記入欄への記入を行う。このとき、利用者は、追記ボックスではなく新規ボックスのみにチェックをする。そして、利用者は、申込書４を構成するシール添付領域４７に添付されたシールをチェックする。さらに利用者は、電子ペン１０を使用して申込書４を構成する送信ボックス４８をチェックすることにより、端末装置２５を介して、識別処理サーバ３へ申込情報を送信する。
【００８９】
申込情報を取得した識別処理サーバ３は、申込情報を構成する記入データに含まれるシールの位置データを取得する。そして、識別処理サーバ３は、図１５に示すように、エリア番号Ｎとして「００１」を設定し（ステップＳ１）、図１２に示すエリアＤＢ７に基づいて、取得した位置データに基づいて利用者がシールをチェックした座標がエリア番号「００１」のエリアに存在するか否かを判定する（ステップＳ２）。取得した位置データに基づきエリア番号「００１」のエリアに存在しないと判定した場合、識別処理サーバ３は、エリア番号Ｎとして「００１」に「１」を加算し「００２」を設定する（ステップＳ３）。そして、識別処理サーバ３は、エリア番号Ｎが「６４」以下の番号か否かを判定する（ステップＳ４）。本実施形態では、図１０に示すように、シール台紙は６４個のシールから構成されており、エリア番号は「００１」から「０６４」までの６４個しか存在しないからである。エリア番号Ｎが「６４」より大きい番号の場合はエラー処理を行う（ステップＳ５）。一方、エリア番号Ｎが「６４」以下の番号の場合はステップＳ２からＳ４の処理を繰り返す。
【００９０】
一方、ステップＳ２において取得した位置データに基づきエリア番号Ｎのエリアに座標が存在すると判定した場合、識別処理サーバ３は、当該エリア番号Ｎにエリアを特定する（ステップＳ６）。これによれば、利用者が電子ペン１０を使用してチェックしたシールに印刷されたドットパターンのエリアを特定することができる。
【００９１】
次に、上記のエリア特定処理１よりも効率的にエリアの特定を行うことができるエリア特定処理２について図１６乃至図１８を参照して説明する。
【００９２】
図１６は、シール台紙を構成するシールのエリアを複数の上位エリアに分割した図である。また、図１７（ａ）は上位エリアＤＢのデータ構造を模式的に示す図であり、図１７（ｂ）は判定テーブルのデータ構造を模式的に示す図である。また、図１８は、エリア特定処理２を示すフローチャートである。なお、上位エリアＤＢは識別処理サーバ３に接続されており、判定テーブルは予め識別処理サーバ３が記憶しているものとする。
【００９３】
本実施形態では、図１６に示すように、シール台紙を構成するシールのエリアを上位エリアＡ乃至Ｅの５つに分割する。上位エリアＡは、網掛けで示すように、シール台紙の左半分であり、３２個のシールにより構成される。上位エリアＡを特定する座標データは、「座標６１（０，０）〜座標６２（４，８）」である。上位エリアＢは、上位エリアＡの上半分であり、１６個のシールにより構成される。上位エリアＢを特定する座標データは、「座標６３（０，４）〜座標６２（４，８）」である。上位エリアＣは、シール台紙の右上４分の１であり、１６個のシールにより構成される。上位エリアＣを特定する座標データは、「座標６４（４，４）〜座標６５（８，８）」である。上位エリアＤは、上位エリアＢを除いた上位エリアＡ、即ちシール台紙の左下４分の１であり、１６個のシールにより構成される。また、上位エリアＥは、上位エリアＢ乃至Ｄ以外のシール台紙、即ちシール台紙の右下４分の１であり、１６個のシールにより構成される。
【００９４】
上位エリアＤＢは、図１７（ａ）に示すように、座標データに対応付けて特定される上位エリアの上位エリア名を記憶している。
【００９５】
判定テーブルは、図１７（ｂ）に示すように、利用者が電子ペン１０を使用してチェックしたシールの位置データに基づいて上位エリアを特定するためのテーブルである。「○」は、シールの位置データに基づいて、利用者がチェックした座標が対応する上位エリアに存在することを表す。一方、「×」は、シールの位置データに基づいて、利用者がチェックした座標が対応する上位エリアに存在しないことを表す。このように、判定テーブルは上位エリアＡ乃至Ｃの組合せにより特定される特定上位エリアを対応付けて記憶している。
【００９６】
次に、エリア特定処理２について図１８のフローチャートを参照して説明する。まず、利用者は、電子ペン１０を使用して新規に申込書４（図９）における記入欄への記入を行う。そして、利用者は、電子ペン１０を使用して申込書４を構成するシール添付領域４７に添付されたシールをチェックする。さらに、利用者は、電子ペン１０を使用して申込書４を構成する送信ボックス４８をチェックすることにより、端末装置２５を介して、識別処理サーバ３へ申込情報を送信する。
【００９７】
申込情報を受信した識別処理サーバ３は、申込情報を構成する記入データに含まれるシールの位置データを取得する。そして、識別処理サーバ３は、取得した位置データに基づいて利用者がシールをチェックした座標が上位エリアＡに存在するか否かを上位エリアＤＢに基づいて判定する（ステップＳ１１）。取得した位置データに基づき座標が上位エリアＡに存在しないと判定した場合、シール台紙の右半分に存在することになる。そこで、識別処理サーバ３は、取得した位置データに基づいて利用者がシールをチェックした座標が上位エリアＣに存在するか否かを上位エリアＤＢに基づいて判定する（ステップＳ１２）。取得した位置データに基づき座標が上位エリアＣに存在すると判定した場合、判定テーブルを参照した識別処理サーバ３は、上位エリアＣを構成する１６個のシールである１６エリアを検索する（ステップＳ１５）。一方、取得した位置データに基づき座標が上位エリアＣに存在しないと判定した場合、判定テーブルを参照した識別処理サーバ３は、上位エリアＥを構成する１６個のシールである１６エリアを検索する（ステップＳ１４）。
【００９８】
一方、ステップＳ１１において、取得した位置データに基づき座標が上位エリアＡに存在すると判定した場合、シール台紙の左半分に存在することになる。そこで、識別処理サーバ３は、取得した位置データに基づいて利用者がシールをチェックした座標が上位エリアＢに存在するか否かを上位エリアＤＢに基づいて判定する（ステップＳ１３）。取得した位置データに基づき座標が上位エリアＢに存在すると判定した場合、判定テーブルを参照した識別処理サーバ３は、上位エリアＢを構成する１６個のシールである１６エリアを検索する（ステップＳ１７）。一方、取得した位置データに基づき座標が上位エリアＢに存在しないと判定した場合、判定テーブルを参照した識別処理サーバ３は、上位エリアＤを構成する１６個のシールである１６エリアを検索する（ステップＳ１６）。
【００９９】
ステップＳ１４乃至Ｓ１７において行われる検索は、取得した位置データおよびエリアＤＢ７に基づいて行われる。そして、取得した位置データがエリア番号Ｎのエリアに存在した場合、識別処理サーバ３は、当該エリア番号Ｎにエリアを特定する（ステップＳ１８）。
【０１００】
これによれば、例えば本実施形態のように、シール台紙が６４個のシールにより構成されている場合、最大１８回の判定により、利用者が電子ペン１０を使用してチェックしたシールに印刷されたドットパターンのエリアを特定することができる。即ち、効率的にエリアの特定を行うことができる。
【０１０１】
なお、上記の実施形態において、特定処理は申込情報が新規の場合を想定しているが、本発明はこれに限定されるものではなく、申込情報が追記の場合であっても適用することができる。また、上位エリアの分割、上位エリアＤＢ及び判定テーブルの構成は任意に設定することが可能である。
【０１０２】
［識別処理］
次に、上記の識別処理システムにより実行される識別処理について図１９及び図２０のフローチャートを参照して説明する。図１９は、利用者が電子ペン１０を使用して、図９に示す申込書４に新規に記入する際の識別処理である。一方、図２０は、利用者が電子ペン１０を使用して、既に記入済の申込書４に追記する際の識別処理である。
【０１０３】
まず、図１９を参照して識別処理（新規）について説明する。利用者は、電子ペン１０を使用して新規に申込書４における記入欄への記入を行う。そして、利用者は、電子ペン１０を使用して申込書４を構成するシール添付領域４７に添付されたシールをチェックする。さらに利用者は、電子ペン１０を使用して申込書４を構成する送信ボックス４８をチェックすることにより、端末装置２５を介して、識別処理サーバ３へ申込情報を送信する。
【０１０４】
一方、識別処理サーバ３は、端末装置２５を介して申込情報を受信する（ステップＳ２１）。ここで、申込情報とは、利用者が電子ペン１０を使用して申込書４へ記入した記入データ及び識別処理サーバ３を識別するためのアプリケーションＩＤである。なお、記入データには、シール添付領域４７に添付されたシールの位置データが含まれている。
【０１０５】
そして、識別処理サーバ３は、受信した申込情報を構成する記入データに含まれるシールの位置データに基づいてエリア特定処理を行う（ステップＳ２２）。ここで行うエリア特定処理は、識別処理サーバ３の構成に基づいて、上述のエリア特定処理１又は２のどちらを行っても構わない。これにより、識別処理サーバ３は、当該シールのエリア番号を取得することができ、エリアを特定することができる。
【０１０６】
そして、識別処理サーバ３は、特定したエリアに基づいて申込ＩＤを発行する（ステップＳ２３）。さらに、識別処理サーバ３は、発行した申込ＩＤをキーとしてステップＳ２１で受信した申込情報に基づいて申込データを作成する（ステップＳ２４）。作成した申込データは申込ＤＢ９に記憶される。具体的に、識別処理サーバは、図１３に示すように、発行した申込ＩＤに基づいて、特定したエリアのエリア番号、申込情報を構成する記入データに含まれる名前、住所、電話番号等を申込ＤＢ９に申込データ６０として記憶する。
【０１０７】
これによれば、申込書４を構成するシール添付領域４７に添付されたシールのエリアに基づいて、申込データを一意に管理することが可能である。また、記入欄等に印刷されるドットパターンは同一であるが個別に識別することが可能な申込書を容易に製造することができる。よって、コストの軽減を図ることが可能である。
【０１０８】
次に、図２０を参照して識別処理（追記）について説明する。利用者は、電子ペン１０を使用して既に記入済の申込書４において追記を行う。このとき、新規ボックスではなく追記ボックスにチェックをする。追記とは、例えば、住所変更のために申込書４を構成する住所の記入欄において、利用者が電子ペン１０を使用して旧住所を削除し、新住所を記入すること等である。そして、利用者は、電子ペン１０を使用して申込書４を構成するシール添付領域４７に添付されたシールをチェックする。さらに利用者は、電子ペン１０を使用して申込書４を構成する送信ボックス４８をチェックすることにより、端末装置２５を介して識別処理サーバ３へ申込情報を送信する。
【０１０９】
一方、識別処理サーバ３は、端末装置２５を介して申込情報を受信する（ステップＳ３１）。ここで、申込情報とは、利用者が電子ペン１０を使用して既に記入済の申込書４へ追記した追記データ及び識別処理サーバ３を識別するためのアプリケーションＩＤである。なお、追記データには、シール添付領域４７に添付されたシールの位置データが含まれている。
【０１１０】
そして、識別処理サーバ３は、受信した申込情報を構成する追記データに含まれるシールの位置データに基づいてエリア特定処理を行う（ステップＳ３２）。ここで行うエリア特定処理は、識別処理サーバ３の構成に基づいて、上述のエリア特定処理１又は２のどちらを行っても構わない。これにより、識別処理サーバ３は、当該シールのエリア番号を取得することができ、エリアを特定することができる。
【０１１１】
そして、識別処理サーバ３は、特定したエリアに基づいて申込ＤＢ９を検索し、該当する申込ＩＤを取得する（ステップＳ３３）。さらに、識別処理サーバ３は、ステップＳ３１において受信した申込情報に基づいて、取得した申込ＩＤをキーとする申込データを更新する（ステップＳ３４）。具体的に、識別処理サーバ３が特定したエリアのエリア番号が「００１」だったとする。この場合、識別処理サーバ３は、エリア番号「００１」に基づいて、図１３に示すような、申込ＩＤ「Ｎ０１２」をキーとする申込データ６０を申込ＤＢ９から取得する。そして、例えば端末装置２５から受信した申込情報に含まれる追記データが住所変更に関するデータであった場合、識別処理サーバ３は、申込データ６０における住所の項目を当該追記データに基づいて更新する（ステップＳ３５）。
【０１１２】
これによれば、申込書４に添付されたシールのエリアに基づいて申込データを管理することができる。よって、利用者が住所変更等のため追記を行った際、当該利用者が電子ペン１０を使用してシールをチェックするだけで、識別処理サーバ３は、追記により住所変更等が行われた申込データを特定することができる。従来は、このような追記の場合、申込書４の専用エリアに電子ペン１０を使用して申込ＩＤを記入する必要があった。即ち、識別処理サーバ３は、利用者が記入した申込ＩＤであるアルファベットや数字を文字認識することにより該当する申込データを特定していた。しかし、本発明によれば、従来の文字認識による識別と比較して利用者の操作が簡便であり、誤認識や人為的な入力ミスを大幅に軽減することができる。
【０１１３】
なお、本実施形態においてシールのエリアと申込ＩＤが１対１の関係となっているが、本発明はこれに限定されるものではなく、シールのエリアと識別情報が関連付けされていれば適用することが可能である。例えば、エリア及び利用者ＩＤに基づいて申込ＩＤが発行されることとしてもよい。
【０１１４】
また、本実施形態において、説明の便宜上シールの位置データは記入データ（又は追記データ）に含まれるとしているが、本発明はこれに限定されるものではなく、シールの位置データは記入データには含まれない申込情報の構成要素の１つであるとしても構わない。
【０１１５】
また、本実施形態において、識別処理サーバ３が所定の受付処理を行うための申込書４は図９に示す構成となっているが、本発明はこれに限定されるものではなく、記入欄等の項目は任意に設定することが可能である。また、これに伴い、申込ＤＢ９の構成は図１３に示すものとしているが任意に設定することが可能である。
【０１１６】
また、本実施形態において申込書４に添付されるシールは全て一意なドットパターンが印刷されているが、本発明はこれに限定されるものではなく、申込書４を使用する店舗や年度が異なり、他の要素（例えば、店舗ＩＤや年度ＩＤ）とエリアを組み合わせて、申込書４を個別に識別することが可能であれば、シールに印刷されるドットパターンは重複するものとなっても構わない。
【０１１７】
［変形例］
本実施形態において、図１１に示すようにシールのエリアは基本的に１つとしているが、本発明はこれに限定されるものではなく、シールのエリアを複数に分割することもできる。
【０１１８】
例えば、図２１（ａ）に示すようにシールのエリアが「新規」及び「追記」の均等な２つのエリアに分割されている場合、識別処理サーバ３は、上述のエリア特定処理によりエリアを特定した後、座標７０（ｘ１，ｙ１）及び座標７１（ｘ２，ｙ２）に基づいて利用者が「新規」又は「追記」のどちらにチェックしたかを判定する。具体的に、識別処理サーバ３は、図２１（ａ）に示す式「（ｘ２−ｘ１）／２＋ｘ１」に基づき、当該シールの中間のｘ座標を算出する。そして、識別処理サーバ３は、利用者が電子ペン１０を使用してチェックした座標のｘ座標が、シールの中間のｘ座標よりも小さい値の場合は「新規」、シールの中間のｘ座標よりも大きい値の場合は「追記」であると認識する。
【０１１９】
これにより、通常申込書を構成する記入欄上に存在する「新規」又は「追記」項目へのチェックを、申込書を識別するために必ず行うシールへのチェックと同時に行うことができる。即ち、利用者の操作（チェック行為）を軽減することができる。
【０１２０】
また、例えば、図２１（ｂ）に示すようにシールのエリアが「Ａ」、「Ｂ」及び「Ｃ」の３つの均等なエリアに分割されている場合、識別処理サーバ３は、上記のエリア特定処理によりエリアを特定した後、座標に基づく演算により利用者が「Ａ」、「Ｂ」又は「Ｃ」のいずれにチェックしたかを判定する。この場合、利用者がチェック７３のように「Ａ」及び「Ｂ」にまたがるようにチェックすることも可能である。これによれば、利用者がチェック可能な組合せは「Ａのみ」、「Ｂのみ」、「Ｃのみ」、「ＡＢ」、「ＢＣ」、「ＡＣ」及び「ＡＢＣ全て」の７通りとなる。よって、同一ドットパターンが印刷された、即ち同一エリアのシールが添付された申込書であっても、シールのチェックの際の組合せにより、さらに複数回識別することが可能となる。具体的に、この場合、識別処理サーバ３は、図２１（ｂ）に示す、同一エリアのシールが添付された申込書であってもチェックの組合せにより７通りに識別することが可能となる。
【０１２１】
なお、上記の実施形態では、シールを申込書自体に添付（又は、貼付）する場合を説明したが、申込書とともに手続先などに提出すべき付属書類や資料が存在する場合は、当該資料等にシールを添付等することもできる。
【０１２２】
【発明の効果】
以上説明したように、本発明によれば、申込書に印刷されるドットパターンのうち、一部を一意なドットパターンとすることにより、容易に各種申込書を識別することが可能な識別処理システムを提供する。
【図面の簡単な説明】
【図１】電子ペンの使用形態を模式的に示す図である。
【図２】電子ペンの構造を示す機能ブロック図である
【図３】専用ペーパーに印刷されたドットパターンによる情報の表現方法を説明する図である。
【図４】ドットパターン及びそれに対応する情報の例を示す。
【図５】専用ペーパーにより構成される帳票の構造を示す。
【図６】電子ペン用帳票の例を示す。
【図７】本発明による識別処理システムの概略構成を示す図である。
【図８】一定の範囲のドットパターンを３つのエリアに割り当てる際の概念図を示す。
【図９】識別処理サーバによる受付処理に係る申込書の例である。
【図１０】複数のシールから構成されるシール台紙の例である。
【図１１】シール台紙を構成するシールのエリアを座標により特定する図である。
【図１２】本発明の識別処理システムに使用されるエリアＤＢのデータ構造を模式的に示す図である。
【図１３】本発明の識別処理システムに使用される申込ＤＢのデータ構造を模式的に示す図である。
【図１４】図７に示す識別処理システムに含まれる識別処理サーバの機能ブロックを示す図である。
【図１５】エリア特定処理１を示すフローチャートである。
【図１６】シール台紙を構成するシールのエリアを複数の上位エリアに分割した図である。
【図１７】本発明の識別処理システムに使用される上位エリアＤＢ及び判定テーブルのデータ構造を模式的に示す図である。
【図１８】エリア特定処理２を示すフローチャートである。
【図１９】新規における識別処理を示すフローチャートである。
【図２０】追記における識別処理を示すフローチャートである。
【図２１】シールのエリアが分割された例を示す。
【符号の説明】
２    ネットワーク
３    識別処理サーバ
４    申込書
７    エリアＤＢ
８    申込ＤＢ
１０  電子ペン
１１  プロセッサ
１２  メモリ
１３  データ通信ユニット
１４  バッテリー
２５  端末装置
２６  問い合わせサーバ
２７  サービスサーバ
５０  シール台紙
【図１】
2004234468.tif 000003
【図２】
2004234468.tif 000004
【図３】
2004234468.tif 000005
【図４】
2004234468.tif 000006
【図５】
2004234468.tif 000007
【図６】
2004234468.tif 000008
【図７】
2004234468.tif 000009
【図８】
2004234468.tif 000010
【図９】
2004234468.tif 000011
【図１０】
2004234468.tif 000012
【図１１】
2004234468.tif 000013
【図１２】
2004234468.tif 000014
【図１３】
2004234468.tif 000015
【図１４】
2004234468.tif 000016
【図１５】
2004234468.tif 000017
【図１６】
2004234468.tif 000018
【図１７】
2004234468.tif 000019
【図１８】
2004234468.tif 000020
【図１９】
2004234468.tif 000021
【図２０】
2004234468.tif 000022
【図２１】
2004234468.tif 000023